(57)【要約】【課題】遊技客による再プレイのための貯メダルや貯玉の引き落としを一台の再プレイ機で迅速かつ簡便に行うことができ、かつ、再プレイ機の故障時においても遊技客に貯メダル等の引き落としによる再プレイの提供の続行を可能とする。【解決手段】再プレイ機１０には、払出装置１６が複数備えられている。遊技客が、カード投入口１１に会員カードを投入し、入力部１３の番号キー１３−１で暗証番号を入力し、引落数選択キー１３−２で貯メダル（貯玉）の引落数を選択し、さらに、種類選択キー１３−３で貯メダル（貯玉）の種類が選択すると、制御部１８の制御により、種類選択キー１３−３で選択された種類の貯メダル（貯玉）を払い出す第一払出装置１６ａ又は第二払出装置１６ｂのいずれか一方から、引落数選択キー１３−２で選択された数量の貯メダル（貯玉）が払い出される。【選択図】      図２
2004298324.tif 000002
【特許請求の範囲】
【請求項１】
所定数の遊技媒体を払い出す払出装置を備えた再プレイ機であって、
前記払出装置を複数備えた
ことを特徴とする再プレイ機。
【請求項２】
前記複数の払出装置が、種類の異なる遊技媒体をそれぞれ扱う
ことを特徴とする請求項１記載の再プレイ機。
【請求項３】
前記複数の払出装置が、同一種類の遊技媒体をそれぞれ扱う
ことを特徴とする請求項１又は２記載の再プレイ機。
【請求項４】
前記払出装置が、前記遊技媒体を貯留するタンクを有し、
前記複数の払出装置が、共通の前記タンクを有した
ことを特徴とする請求項１〜３のいずれかに記載の再プレイ機。
【請求項５】
前記払出装置に払い出させる前記遊技媒体の種類を選択する種類選択部と、
この種類選択部で選択された種類の前記遊技媒体を、この選択された種類の遊技媒体を扱う前記払出装置に払い出させる制御部とを有した
ことを特徴とする請求項１〜４のいずれかに記載の再プレイ機。
【発明の詳細な説明】
【０００１】
【発明の属する技術分野】
本発明は、所定数の遊技媒体を払い出す払出装置を備えた再プレイ機に関し、特に、種類の異なる遊技媒体でそれぞれ遊技される複数の遊技台が一つの遊技ホールに設置されている場合に好適な再プレイ機に関する。
【０００２】
【従来の技術】
スロットマシンやパチンコ機などに代表される遊技台が複数設置された遊技ホールにおいては、会員カードを利用して貯メダルや貯玉を引き出し、再プレイすることができる再プレイ機が設けられている。
この再プレイ機は、図８に示すように、会員カードを投入するカード投入口１１０と、会員カードに記憶されているデータや貯メダル（貯玉）の数量等を表示する表示部１２０と、暗証番号や遊技媒体の払出数量等を入力する入力部１３０と、メダルやパチンコ玉に代表される遊技媒体を払い出す遊技媒体払出口１４０と、レシートを排出するレシート排出口１５０とを有している。
【０００３】
このような構成を有する再プレイ機において、遊技者が貯メダル（貯玉）を引き出す場合は、次の手順に従う。
遊技者（会員）は、まずカード投入口１１０に会員カードを投入し、次いで、入力部１３０で暗証番号を入力すると、この入力された暗証番号が管理コンピュータ４００へ送信されて、正規の会員カードか否かの照合が行われる。照合の結果、会員カードが正規のものであるときは、表示部１２０に貯メダル（貯玉）の数量（引き出し可能な数量）が表示される。
【０００４】
さらに、遊技者は、表示された貯メダル（貯玉）の数量のうち払い出す数量を入力部１３０で入力する。
そして、入力部１３０に設けられた「払出しボタン」等（図示せず）を押すと、遊技媒体払出口１４０から遊技媒体が払い出される。
【０００５】
ところで、この再プレイ機や遊技台等が設置されている遊技ホールにおいて、例えば、図９に示すように、サイズＡのメダルを用いて遊技を行う遊技台１１０−ａａ〜１１０−ａｎと、サイズＢのメダルを用いて遊技を行う遊技台１１０−ｂａ〜１１０−ｂｎとが、それぞれ一又は二以上設置されている場合には、その遊技ホール内には、メダルサイズＡ用の再プレイ機１４０ａと、メダルサイズＢ用の再プレイ機１４０ｂとが、それぞれ個別に設けられる。
【０００６】
ここで、遊技台がスロットマシンの場合に使用される遊技媒体（メダル）のサイズは、具体的には、直径が３０φのものと、２５φのものの二種類が存在する。
このため、直径３０φのメダルを扱うスロットマシンが設置された付近には、この直径３０φのメダルを扱う再プレイ機が設置され、一方、直径２５φのメダルを扱うスロットマシンが設置された付近には、この直径２５φのメダルを扱う再プレイ機が設置される。
【０００７】
そこで、従来、種類の異なる遊技媒体をそれぞれ扱う複数の遊技台が同一の遊技ホールに設置できるようにする技術が提案されている。
例えば、メダルサイズＡ用の遊技台とメダルサイズＡ用の貸出機（再プレイ機）を交互に並列にならべた一つのメダルサイズＡ用遊技台列と、メダルサイズＢ用の遊技台とメダルサイズＢ用の貸出機（再プレイ機）を交互に並列にならべた一つのメダルサイズＢ用遊技台列とを背中合わせに配置して構成されたメダルサイズＡとメダルサイズＢとの両サイズを共用する併設島に設けられ、それら遊技台と貸出機（再プレイ機）に遊技媒体を補給するとともに、その遊技媒体を回収する遊技媒体管理システムにおいて、メダルサイズＡ用及びメダルサイズＢ用の補給と回収とのシステムを一つのメダル補給コンベアと一つのメダル回収コンベアからなる両サイズメダル共用の一つのシステム（遊技媒体管理システム）がある（例えば、特許文献１参照。）。
これによれば、メダルサイズＡ用遊技台列にはメダルサイズＡの遊技媒体を、メダルサイズＢ用遊技台列にはメダルサイズＢの遊技媒体を、それぞれ補給することができる。
【０００８】
【特許文献１】
特開２００２−１４３３８６号公報（第２−７頁、第１−８図）
【０００９】
【発明が解決しようとする課題】
しかしながら、従来の遊技媒体管理システムは、遊技台や貸出機（再プレイ機）に対して遊技媒体を補給するための補給システムに関する技術であるため、遊技客が遊技媒体（貯メダルや貯玉）を引き出すための再プレイ機に応用することができなかった。
特に、再プレイ機は、所定数の遊技媒体を外部へ払い出す払出装置を備えているものの、従来の遊技媒体管理システムは、そのような払出装置を有しておらず、また必要ではなかった。
【００１０】
また、種類の異なる遊技媒体をそれぞれ使用して遊技する複数の遊技台が同一の遊技ホールに設置されている場合、遊技客は、自分が遊技を行いたい遊技台が扱っている種類の遊技媒体を払い出すことが可能な再プレイ機を、その遊技ホール内で探さなければならず、面倒となっていた。
【００１１】
さらに、遊技ホール側としては、種類の異なる遊技媒体をそれぞれ扱う複数の遊技台を同一の遊技ホール内に設置した場合には、遊技媒体の各種類ごとに再プレイ機を導入しなければならないため、コストがかかるとともに、設置スペースの確保が必要となっていた。
【００１２】
しかも、遊技媒体が内部で詰まるなどして故障が発生した場合、その再プレイ機は、修理が終了するまで使用不可能となっていた。このため、遊技ホール内に再プレイ機が一体しかない場合、あるいは、特定種類の遊技媒体を扱う再プレイ機が一体しかない場合には、この再プレイ機が故障すると、遊技客は再プレイを行うことができないという事態が発生していた。
【００１３】
本発明は、上記の事情にかんがみなされたものであり、種類の異なる遊技媒体をそれぞれ使用して遊技する複数の遊技台が同一の遊技ホールに複数設置されている場合に、遊技客による貯メダルや貯玉の引き落としを迅速かつ簡便に行うことができるとともに、遊技ホールにおける設備コストの削減・設置スペースの縮小を行うことができ、かつ、再プレイ機の故障時にも遊技客による貯メダル等の引き落としを可能とする再プレイ機の提供を目的とする。
【００１４】
【課題を解決するための手段】
この目的を達成するため、本発明の請求項１記載の再プレイ機は、所定数の遊技媒体を払い出す払出装置を備えた再プレイ機であって、払出装置を複数備えた構成としてある。
再プレイ機をこのような構成とすると、例えば、一方の払出装置が種類Ａの遊技媒体を払い出すようにし、他方の払出装置が種類Ｂの遊技媒体を払い出すようにすれば、一つの再プレイ機が、種類Ａの遊技媒体と種類Ｂの遊技媒体との双方を払い出すことができる。
【００１５】
このため、種類の異なる遊技媒体をそれぞれ使用して遊技する複数の遊技台が同一の遊技ホールに設置されている場合に、遊技客は、遊技媒体の種類に関係なく再プレイ機を見つけることで所望の種類の遊技媒体（貯メダルや貯玉）を引き出すことができる。
これにより、遊技客は、自分が遊技を行いたい遊技台が扱っている種類の遊技媒体を払い出すことが可能な再プレイ機を、その遊技ホール内でわざわざ探さなければならないという面倒さを解消できる。
【００１６】
しかも、遊技客は、遊技媒体の種類を気にすることなく、とにかく遊技ホール内で再プレイ機を見つければ、その再プレイ機において、所望の種類の貯メダル（あるいは、貯玉）を引き落とすことができるため、迅速かつ簡便に貯メダル等の引き落としを行うことができる。
【００１７】
さらに、遊技ホール側にとっては、種類の異なる遊技媒体をそれぞれ扱う複数の遊技台を同一の遊技ホール内に設置した場合であっても、複数の払出装置が備えられた本発明の再プレイ機一台を導入すれば、遊技媒体の各種類ごとに再プレイ機を導入しなくてもよくなるため、コストの削減が図れるとともに、設置スペースの縮小が可能となる。
【００１８】
加えて、再プレイ機内で故障が発生しても、その故障が一の払出装置での故障であれば、他の払出装置により遊技媒体の払出しが可能となる。
したがって、再プレイ機が故障した場合であっても、遊技客は、その後も貯メダル等の引き落としを行うことができ、また、遊技ホール側は、その故障時であっても、遊技客に再プレイを継続して提供できる。
【００１９】
また、請求項２記載の再プレイ機は、複数の払出装置が、種類の異なる遊技媒体をそれぞれ扱う構成としてある。
再プレイ機をこのような構成とすれば、一方の払出装置からは種類Ａの遊技媒体（貯メダルや貯玉）を引き落とすことができ、他方の払出装置からは種類Ｂの遊技媒体（貯メダルや貯玉）を引き落とすことができる。
【００２０】
このため、遊技客は、遊技ホール内で、特定種類の遊技媒体を払い出す再プレイ機を探さなくても、とにかく再プレイ機を見つけることができれば、その再プレイ機において所望の種類の遊技媒体（貯メダルや貯玉）を引き落とすことができる。したがって、種類の異なる遊技媒体をそれぞれ使用して遊技する複数の遊技台が同一の遊技ホールに複数設置されている場合に、遊技客による貯メダルや貯玉の引き落としを迅速かつ簡便に行うことができる。
【００２１】
さらに、一機の再プレイ機が複数種類の遊技媒体の払い出しを可能とするため、種類の異なる遊技媒体をそれぞれ扱う複数の再プレイ機を同一の遊技ホール内に設置した場合と比較して、コストの削減や、設置スペースの縮小化を実現することができる。
【００２２】
また、請求項３記載の再プレイ機は、複数の払出装置が、同一種類の遊技媒体をそれぞれ扱う構成としてある。
再プレイ機をこのような構成とすると、一の払出装置で故障が発生した場合や空になった場合であっても、他の払出装置により、遊技媒体の払い出しが可能となる。
したがって、この再プレイ機が故障した場合であっても、遊技客は、その後も貯メダル等の引き落としを行うことができ、また、遊技ホール側は、その故障時や空になった時であっても、遊技客に再プレイを継続して提供できる。
【００２３】
なお、一の再プレイ機には、払出装置を三つ以上設けることもできる。この場合は、第一の払出装置が種類Ａの遊技媒体を扱い、第二の払出装置と第三の払出装置が種類Ｂの遊技媒体を扱うようにすることもできる。
さらに、それら第一，第二，第三の払出装置が、それぞれ異なる種類の遊技媒体を扱うようにすることもでき、また、それら三つの払出装置がすべて同一種類の遊技媒体を扱うようにすることもできる。
【００２４】
また、請求項４記載の再プレイ機は、払出装置が、遊技媒体を貯留するタンクを有し、複数の払出装置が、共通のタンクを有した構成としてある。
再プレイ機をこのような構成とすれば、複数の払出装置に対してタンクが共通した構造となるため、各払出装置ごとにタンクを設けた場合の仕切り板等を省略できる。このため、再プレイ機のコストダウンを図ることができる。
【００２５】
さらに、複数の払出装置が共通のタンクから供給される同一種類の遊技媒体を扱うため、一の払出装置が故障した場合であっても、他の払出装置がその遊技媒体の払出しを行うことができる。
したがって、この再プレイ機が故障した場合であっても、遊技客は、その後も貯メダル等の引き落としを行うことができ、また、遊技ホール側は、その故障時であっても、遊技客に再プレイを継続して提供できる。
【００２６】
また、請求項５記載の再プレイ機は、払出装置に払い出させる遊技媒体の種類を選択する種類選択部と、この種類選択部で選択された種類の遊技媒体を、この選択された種類の遊技媒体を扱う払出装置に払い出させる制御部とを有した構成としてある。
再プレイ機をこのような構成とすると、遊技客は、引き落としたい貯メダル（あるいは、貯玉）の種類を種類選択部で選択することで、所望の種類の貯メダル（あるいは、貯玉）を所定量引き落とすことができる。
【００２７】
【発明の実施の形態】
以下、本発明に係る再プレイ機の好ましい実施形態について、図面を参照して説明する。
まず、本発明の再プレイ機の実施形態について、図１〜図４を参照して説明する。
図１は、本実施形態の再プレイ機の前面構成を示す正面図、図２は、その内部構造を示す内部正面図、図３は、払出装置の構造を示す側面図、図４は、再プレイ機の制御系を示すブロック図である。
【００２８】
図１〜図４に示すように、本発明の再プレイ機の正面には、カード投入口１１と、表示部１２と、入力部１３と、遊技媒体払出口１４と、レシート排出口１５と、第一払出装置１６ａと、第二払出装置１６ｂと、記憶部１７と、制御部１８と、通信部１９とを有している。
【００２９】
カード投入口１１は、会員カードが投入される開口であって、内部には、その投入された会員カードから所定のデータ（カードデータ）を読み出すカードリーダ１１−１が備えられている。
カードリーダ１１−１は、読み取ったカードデータを制御部１８へ送る。これにより、制御部１８は、カードデータを記憶部１７へ送って記憶させるとともに、通信部１９を介して管理コンピュータ４００へ送信する。
【００３０】
表示部１２は、カードデータ，会員番号，貯メダル（貯玉）の数量などを表示する。
入力部１３は、番号キー１３−１と、引落数選択キー１３−２と、種類選択キー１３−３とを有している。
【００３１】
番号キー１３−１は、数字等の入力が可能なテンキー等で構成されており、例えば、暗証番号等が入力される。また、番号キー１３−１には、貯メダル（貯玉）の払い出し数を決定する「決定ボタン」や、払い出しを実行させる「払出ボタン」（あるいは、「引き落としボタン」）などを設けることができる。
この番号キー１３−１で暗証番号等が入力されると、番号キー入力検知部１３−１１でその入力された番号が検知され、制御部１８へ送られる。
【００３２】
引落数選択キー１３−２は、選択する数量が予め定められた複数のキーで構成されており、引き落とされる貯メダル（貯玉）の数量を選択する際に用いられる。
この引落数選択キー１３−２で引き落とされる貯メダル（貯玉）の数量が選択されると、引落数選択キー入力検知部１３−２１で、いずれか一のキーが選択操作されたことが検知され、制御部１８へ送られる。
【００３３】
なお、図１においては、引落数選択キー１３−２の表面に記される引落数を、「１００枚」，「２００枚」，「３００枚」，「５００枚」，「１０００枚」，「全枚」としているが、これら「１００枚」等に限るものではなく、例えば、「２５０枚」や「７５０枚」など任意の引落数を記すことができる。
また、同図の引落数選択キー１３−２の表面に記される引落数は、例えば「１００枚」のように、「枚」を単位としているが、これは再プレイ機で引き落とされる遊技媒体がメダルであることを想定したものである。このため、再プレイ機で引き落とされる遊技媒体が例えばパチンコ玉の場合は、「枚」に代えて「個」とし、「１００個」，「２００個」等と記すこともできる。
【００３４】
種類選択キー（種類選択部）１３−３は、引き落とされる貯メダル（貯玉）の種類を選択する複数のキーで構成されている。
この種類選択キー１３−３で引き落とされる貯メダル（貯玉）の種類が選択されると、種類選択キー入力検知部１３−３１で、いずれか一のキーが選択操作されたことが検知され、制御部１８へ送られる。
【００３５】
なお、図１においては、種類選択キー１３−３の表面に記される種類が、「３０φ」や「２５φ」としているが、これら「３０φ」や「２５φ」に限るものではなく、遊技媒体の種類に応じた表記とすることができる。
また、遊技媒体の種類には、例えば、直径の相違にもとづく種類（例えば、直径３０φや直径２５φ等）、色，デザイン，形状等の相違にもとづく種類などがある。
【００３６】
遊技媒体払出口１４は、第一払出装置１６ａ又は第二払出装置１６ｂから送り出されてきた貯メダル（貯玉）を外部へ払い出す。
レシート排出口１５は、レシート印字出力部１５−１で引き落とし数等が印字されたレシートを外部へ排出する。
【００３７】
第一払出装置１６ａは、図２に示すように、タンクａ１６−１ａと、送出口ａ１６−２ａと、送出モータａ１６−３ａとを有している。
また、第二払出装置１６ｂは、タンクｂ１６−１ｂと、送出口ｂ１６−２ｂと、送出モータｂ１６−３ｂとを有している。
なお、本実施形態においては、第一払出装置１６ａと第二払出装置１６ｂとを総称して「払出装置１６」という。
【００３８】
タンクａ１６−１ａ及びタンクｂ１６−１ｂ（以下、総称して「タンク１６−１」という。）は、遊技媒体を貯留する。
送出口ａ１６−２ａ及び送出口ｂ１６−２ｂ（以下、総称して「送出口１６−２」という。）は、送出モータａ１６−３ａ又は送出モータｂ１６−３ｂ（以下、総称して「送出モータ１６−３」という。）によってタンク１６から送られてきた遊技媒体を遊技媒体払出口１４へ排出する。
【００３９】
払出装置１６は、払出装置制御部１６−４によって動作制御される。
払出装置制御部１６−４は、第一払出装置１６ａを動作制御する第一払出装置制御部１６−４ａと、第二払出装置１６ｂを動作制御する第二払出装置制御部１６−４ｂとを有している。
【００４０】
なお、各払出装置１６から払い出される遊技媒体は、図５に示すように、それぞれ異なった種類の遊技媒体であってもよく、また、同一種類の遊技媒体であってもよい。
具体的には、次のような組み合わせが可能である。
【００４１】
（Ａ）各払出装置１６にそれぞれ異なった種類の遊技媒体を払い出させる場合
（１）  第一払出装置１６ａ・・・直径２５φのメダル
第二払出装置１６ｂ・・・直径３０φのメダル
（２）  第一払出装置１６ａ・・・直径３０φのメダル
第二払出装置１６ｂ・・・直径２５φのメダル
（３）  第一払出装置１６ａ・・・種類Ｘ１のメダル
第二払出装置１６ｂ・・・種類Ｘ２のメダル
（４）  第一払出装置１６ａ・・・メダル
第二払出装置１６ｂ・・・パチンコ玉
（５）  第一払出装置１６ａ・・・パチンコ玉
第二払出装置１６ｂ・・・メダル
（６）  第一払出装置１６ａ・・・種類Ｙ１の遊技媒体
第二払出装置１６ｂ・・・種類Ｙ２の遊技媒体
【００４２】
（Ｂ）各払出装置１６にそれぞれ同一種類の遊技媒体を払い出させる場合
（１）  第一払出装置１６ａ・・・直径２５φのメダル
第二払出装置１６ｂ・・・直径２５φのメダル
（２）  第一払出装置１６ａ・・・直径３０φのメダル
第二払出装置１６ｂ・・・直径３０φのメダル
（３）  第一払出装置１６ａ・・・種類Ｘ１のメダル
第二払出装置１６ｂ・・・種類Ｘ１のメダル
（４）  第一払出装置１６ａ・・・パチンコ玉
第二払出装置１６ｂ・・・パチンコ玉
（５）  第一払出装置１６ａ・・・種類Ｙ１の遊技媒体
第二払出装置１６ｂ・・・種類Ｙ１の遊技媒体
なお、「種類Ｘ１」，「種類Ｘ２」はメダルに関する種類、「種類Ｙ１」，「種類Ｙ２」は遊技媒体に関する種類を示す。
【００４３】
記憶部１７は、制御部１８から送られてきたカードデータ等を記憶する。
また、記憶部１７は、通信部１９及び制御部１８を介して送られてきた貯メダル（貯玉）の数量や会員データ等を記憶する。
さらに、記憶部１７は、再プレイ機１０の動作を制御するためのプログラム等を記憶する。
【００４４】
制御部１８は、カードリーダ１１−１から送られてきたカードデータを記憶部１７へ送って記憶させる。
また、制御部１８は、通信部１９を介して管理コンピュータ４００から受信したデータ（例えば、会員に関するデータ（会員データ）など）を記憶部１７へ送って記憶させる。
さらに、制御部１８は、表示部１２へ所定のデータを送って表示させる。
【００４５】
また、制御部１８は、番号キー入力検知部１３−１１から送られてきた暗証番号等を、通信部１９を介して管理コンピュータ４００へ送信する。これにより、管理コンピュータ４００は、その暗証番号による会員カードの認証（会員カードが正規のものか否かの判断）を行う。
そして、制御部１８は、通信部１９を介して管理コンピュータ４００から認証の結果を受信する。この認証の結果は、表示部１２へ送って表示させることもできる。
【００４６】
加えて、制御部１８は、種類選択キー入力検知部１３−３１から信号を受け取ると、この信号の示す払出装置１６（第一払出装置１６ａ又は第二払出装置１６ｂのいずれか）を制御する払出装置制御部１６−４へ、動作開始の信号を送る。このとき、引落数選択キー入力検知部１３−２１から送られてきた引落数を示す信号を、その払出装置制御部１６−４へ送る。
【００４７】
これにより、再プレイ機１０は、種類選択キー１３−３で選択された種類の遊技媒体（貯メダル（貯玉））を払い出すように、第一払出装置制御部１６−４ａ又は第二払出装置制御部１６−４ｂのいずれか一方を動作させることができる。
このため、遊技客は、種類選択キー１３−３で選択した種類の遊技媒体（貯メダル（貯玉））を、再プレイ機１０から引き落とすことができる。
【００４８】
通信部１９は、管理コンピュータ４００との間でデータの送受信を行う。
この通信部１９は、制御部１８から送られてきたカードデータを管理コンピュータ４００へ送信する。また、通信部１９は、管理コンピュータ４００から送信してきたデータ等（例えば、会員カードの認証の結果等）を受信して制御部１８へ送る。
【００４９】
次に、本実施形態の再プレイ機の動作について、図６を参照して説明する。
同図は、本実施形態の再プレイ機の動作を示すフローチャートである。
カード投入口１１に会員カードが投入されると、カードリーダ１１−１で、その会員カードからカードデータが読み取られる（ステップ１０）。この読み取られたカードデータが、制御部１８へ送られ、さらに記憶部１７へ送られて記憶される。
【００５０】
さらに、入力部１３の番号キー１３−１で暗証番号が入力されると（ステップ１１）、この暗証番号が、番号キー入力検知部１３−１１を介して、制御部１８へ送られる。
制御部１８において、それらカードデータと暗証番号とが通信部１９へ送られ、この通信部１９から管理コンピュータ４００へ送信される（ステップ１２）。
管理コンピュータ４００で、それらカードデータと暗証番号とにもとづいて、会員カードやカード所持者の認証（会員カードが正規のものか否かの判断、カード所持者が正規の会員か否かの判断）が行われる。
【００５１】
この認証は、例えば、再プレイ機１０からのカードデータと予め管理コンピュータ４００に登録されている会員データとの照合、再プレイ機１０からの暗証番号と予め管理コンピュータ４００に登録されている暗証番号との照合により行うことができる。
そして、この照合の結果が、管理コンピュータ４００から再プレイ機１０へ送信される。
【００５２】
再プレイ機１０の通信部１９で管理コンピュータ４００からの照合の結果が受信されると（ステップ１３）、制御部１８へ送られる。
制御部１８において、その照合の結果の内容が確認される。
例えば、照合の結果が、「会員カードが正規のものである」旨と「カード所持者が登録された会員である」旨を示すときは、次の処理（引落数入力処理（ステップ１４））以降の処理を続行する。
一方、照合の結果が、「会員カードが正規のものでない」旨と「カード所持者が登録された会員ではない」旨を示すときは、これらの旨を表示部１２に表示させるなどして、次の処理（引落数入力処理（ステップ１４））以降の処理を実行しない。
【００５３】
続いて、引落数選択キー１３−２で貯メダル（貯玉）の引落数が選択されると、この選択された引落数（引落数信号）が、引落数選択キー入力検知部１３−２１を介して制御部１８へ送られる（引落数の入力、ステップ１４）。
さらに、種類選択キー１３−３で貯メダル（貯玉）の種類が選択されると、この選択された貯メダル（貯玉）の種類が、種類選択キー入力検知部１３−３１を介して制御部１８へ送られる（貯メダル（貯玉）の種類の入力、ステップ１５）。
【００５４】
ここで、制御部１８において、種類選択キー入力検知部１３−３１から送られてきた貯メダル（貯玉）の種類にもとづいて、その種類選択キー１３−３で選択（入力）された貯メダル（貯玉）の種類は、第一払出装置１６ａで払い出される貯メダル（貯玉）の種類か否かが判断される（ステップ１６）。
【００５５】
判断の結果、第一払出装置１６ａで払い出される貯メダル（貯玉）の種類が選択（入力）されたものであるときは、制御部１８から第一払出装置制御部１６−４ａへ引落数信号が送られる。
これにより、その引落数信号で示された数量の貯メダル（貯玉）が、第一払出装置１６ａから遊技媒体払出口１４へ払い出される（ステップ１７）。
【００５６】
一方、第一払出装置１６ａで払い出される貯メダル（貯玉）の種類が選択（入力）されたものでないとき（あるいは、種類選択キー１３−３で選択（入力）された貯メダル（貯玉）の種類が、第二払出装置１６ｂで払い出される貯メダル（貯玉）の種類であるとき）は、制御部１８から第二払出装置制御部１６−４ｂへ引落数信号が送られる。
これにより、その引落数信号で示された数量の貯メダル（貯玉）が、第二払出装置１６ｂから遊技媒体払出口１４へ払い出される（ステップ１８）。
【００５７】
その後、制御部１８からレシート印字出力部１５−１へ、払い出された貯メダル（貯玉）の数量を示す信号が送られると、このレシート印字出力部１５−１でレシートに貯メダル（貯玉）の払出数量が印字され、レシート排出口１５から外部へ排出される（ステップ１９）。
【００５８】
以上、本発明の再プレイ機の好ましい実施形態について説明したが、本発明に係る再プレイ機は上述した実施形態にのみ限定されるものではなく、本発明の範囲で種々の変更実施が可能であることは言うまでもない。
例えば、上述した実施形態では、各払出装置ごとにタンクを設けることとしているが、この構成に限るものではなく、図７に示すように、複数の払出装置に対して共通のタンクを一つ設けるようにすることもできる。つまり、複数の払出装置が一つのタンクを共用する構成とすることができる。
これにより、タンクごとの仕切り板を省略できることから、コストダウンを図ることができる。
【００５９】
また、上述した実施形態では、払出装置を二つ備えた再プレイ機を示したが、払出装置が二つに限定されるものではなく、三つ以上備えるようにすることもできる。
さらに、上述した実施形態では、会員カードを利用して貯メダルや貯玉を引き出すことができる機能を有したものを再プレイ機と称しているが、一般に再プレイ機との名称で特定されるものに限るものではなく、例えば、遊技台と遊技台との間に設けられた台間装置や、紙幣や硬貨を投入して遊技媒体を得る遊技媒体貸出機であっても、内部に払出装置を有しており、かつ、会員カードを利用して貯メダルや貯玉を引き出すことができる機能を有したものであれば、本発明の再プレイ機に含まれる。
【００６０】
【発明の効果】
以上のように、本発明によれば、再プレイ機内に払出装置を複数設けることにより、種類の異なる遊技媒体をそれぞれ使用して遊技する複数の遊技台が同一の遊技ホールに複数設置されている場合に、遊技客は、遊技媒体の種類を気にすることなく、遊技ホール内で見つけた再プレイ機により、所望の種類の貯メダル（あるいは、貯玉）を引き落とすことができるため、迅速かつ簡便に貯メダル等の引き落としを行うことができる。
【００６１】
さらに、本発明の再プレイ機は、一台で複数種類の貯メダル（貯玉）の引き落としが可能なことから、特定の種類のみ扱う再プレイ機をその種類ごとに同一の遊技ホール内に設置した場合と比較して、設備コストの削減が図れるとともに、設置スペースの縮小が可能となる。
【００６２】
加えて、再プレイ機内で故障が発生しても、その故障が一の払出装置での故障であれば、他の払出装置により遊技媒体の払出しが可能となる。
したがって、再プレイ機が故障した場合であっても、遊技客は、その後も貯メダル等の引き落としを行うことができ、また、遊技ホール側は、その故障時であっても、遊技客に再プレイを継続して提供できる。
【図面の簡単な説明】
【図１】本発明にかかる再プレイ機の正面の構成を示す正面構成図である。
【図２】本発明にかかる再プレイ機の内部構成を示す内部構成図である。
【図３】払出装置の側面構成を示す側面構成図である。
【図４】本発明にかかる再プレイ機の制御系を示すブロック図である。
【図５】第一払出装置と第二払出装置がそれぞれ払い出す遊技媒体の種類を示す図表である。
【図６】本発明にかかる再プレイ機の動作を示すフローチャートである。
【図７】本発明にかかる再プレイ機の他の構成を示す内部構成図である。
【図８】従来の再プレイ機の構成を示す正面構成図である。
【図９】遊技ホールにおける遊技台等の配置を示すブロック図である。
【符号の説明】
１０  再プレイ機
１１  カード投入口
１２  表示部
１３  入力部
１３−１  番号キー
１３−２  引落数選択キー
１３−３  種類選択キー
１４  遊技媒体払出口
１５  レシート排出口
１６ａ  第一払出装置
１６ｂ  第二払出装置
１６−１  タンク
１６−２  送出口
１６−３  送出モータ
１７  記憶部
１８  制御部
１９  通信部
【図１】
2004298324.tif 000003
【図２】
2004298324.tif 000004
【図３】
2004298324.tif 000005
【図４】
2004298324.tif 000006
【図５】
2004298324.tif 000007
【図６】
2004298324.tif 000008
【図７】
2004298324.tif 000009
【図８】
2004298324.tif 000010
【図９】
2004298324.tif 000011